(57)【要約】【課題】  上下方向にコンパクトに形成することができ、下方の浄水貯留部内に貯留される浄水中に水没を始めるまでの時間を長く確保することで、良好な通水速度を保つことのできる浄水カートリッジ及びこれを備えた浄水器を提供する。【解決手段】  吸着剤の吸着作用によって原水を浄化する吸着浄水部２と、濾過体の濾過作用によって原水を浄化する濾過浄水部３とを具備し、浄水器５０の原水貯留部５１と浄水貯留部５２との間に装着されて原水を自重で通過させる浄水カードリッジ１である。隔壁１３を介して吸着浄水部２と濾過浄水部３とを水平方向に並設し、吸着浄水部２と濾過浄水部３を連通させる連通孔１４を上記隔壁１３に設ける。【選択図】図１
2009125663.tif 000002
【特許請求の範囲】
【請求項１】
充填してある吸着剤の吸着作用によって原水を浄化する吸着浄水部と、充填してある濾過体の濾過作用によって原水を浄化する濾過浄水部とを具備し、浄水器の原水貯留部と浄水貯留部との間に装着されて原水を自重で通過させる浄水カードリッジであって、隔壁を介して吸着浄水部と濾過浄水部とを水平方向に並設し、吸着浄水部と濾過浄水部を連通させる連通孔を上記隔壁に設けていることを特徴とする浄水カートリッジ。
【請求項２】
上記吸着浄水部の下流側に位置する上記濾過浄水部を、吸着浄水部の下端部よりも下方にまで延設するとともに、上記隔壁の連通孔を、吸着浄水部の下端部の高さに設けたことを特徴とする請求項１に記載の浄水カートリッジ。
【請求項３】
上記隔壁の連通孔の幅を、吸着浄水部内に充填する吸着剤の径よりも小さく設けることを特徴とする請求項１又は２に記載の浄水カートリッジを具備することを特徴とする浄水器。
【請求項４】
請求項１〜３のいずれか一項に記載の浄水カートリッジを具備することを特徴とする浄水器。
【発明の詳細な説明】
【技術分野】
【０００１】
本発明は、原水を流下させる際に浄化させる浄水カートリッジ及びこれを備えた浄水器に関する。
【背景技術】
【０００２】
従来から、浄水カートリッジを備えた浄水器として、いわゆるポット型のものが知られている。このポット型の浄水器は、上側に位置する原水貯留部と、下側に位置する浄水貯留部との間に浄水カートリッジを介在させ、原水貯留部側に貯留される原水が自重により浄水カートリッジを通じて浄水貯留部側にまで流下する際に、浄水カートリッジ内にて原水を浄化する構造になっている。
【０００３】
図５には、上記構造の浄水カートリッジ１を具備する浄水器５０として、特許文献１に記載のものを示している。この浄水カートリッジ１は、充填してある吸着剤（活性炭）の吸着作用によって原水を浄化する上流側の吸着浄水部２と、充填してある濾過体（中空糸膜）の濾過作用によって吸着浄水部２を通過した原水を更に浄化する下流側の濾過浄水部３とを具備したものである。図中の符号５１は原水貯留部であり、符号５２は浄水貯留部である。
【０００４】
ところで、特許文献１に開示される上記の浄水カートリッジ１にあっては、吸着浄水部２とこれの下方に位置する濾過浄水部３とを仕切りなく上下に連通させている。このため、浄水カートリッジ１は全体が上下方向に長く形成されることになり、浄水カートリッジ１の底部と浄水貯留部５２の底部との間の距離を十分に保つことが困難な構造となっている。
【０００５】
上記距離が十分に確保されない場合には、浄水貯留部５２内に貯留される浄水の水位が上昇してくると、浄水カートリッジ１の下部が短時間で水没し始める。浄水カートリッジ１が水没する容積が増加するほどに該浄水カートリッジ１を通って浄化される原水の通水速度は低下してゆくので、このように十分な距離を保てずに短時間で水没を始めてしまう構造では、一定量の浄水を得るために多くの時間が必要になる。
【特許文献１】特開２００４−２３０３３５号公報
【発明の開示】
【発明が解決しようとする課題】
【０００６】
本発明は上記問題点に鑑みて発明したものであって、上下方向にコンパクトに形成することができ、下方の浄水貯留部内に貯留される浄水中に水没を始めるまでの時間を長く確保することで、良好な通水速度を保つことのできる浄水カートリッジ及びこれを備えた浄水器を提供することを、課題とするものである。
【課題を解決するための手段】
【０００７】
上記課題を解決するために本発明を、充填してある吸着剤の吸着作用によって原水を浄化する吸着浄水部２と、充填してある濾過体の濾過作用によって原水を浄化する濾過浄水部３とを具備し、浄水器５０の原水貯留部５１と浄水貯留部５２との間に装着されて原水を自重で通過させる浄水カードリッジ１であって、隔壁１３を介して吸着浄水部２と濾過浄水部３とを水平方向に並設し、吸着浄水部２と濾過浄水部３を連通させる連通孔１４を上記隔壁１３に設けたものとする。このようにすることで、浄水カートリッジ１の全体を上下方向にコンパクトに形成することができる。したがって、浄水カートリッジ１の底部と浄水貯留部５２の底部との間の距離を長く保つことが容易となり、浄水貯留部５２内に貯留されていく浄水中に浄水カートリッジ１が水没し始めるまでの時間を長く確保して良好な通水速度を保ち、一定量の浄水を速やかに得ることが可能となる。
【０００８】
また、上記構成の浄水カートリッジ１においては、上記吸着浄水部２の下流側に位置する上記濾過浄水部３を、吸着浄水部２の下端部よりも下方にまで延設するとともに、上記隔壁１３の連通孔１４を、吸着浄水部２の下端部の高さに設けることが好適である。このようにすることで、吸着浄水部２内に導入された原水を、吸着浄水部２内に充填される吸着剤の全体に満遍なく通過させて浄化した後に、連通孔１４を通じて濾過浄水部３内に導入することが可能となる。したがって、吸着浄水部２内に充填される吸着剤の全てを有効利用することが可能となり、結果的に浄水カートリッジ１の高寿命化が図られる。
【０００９】
なお、上記隔壁１３の連通孔１４の幅を、吸着浄水部２内に充填する吸着剤の径よりも小さく設けることが好適である。このようにすることで、吸着浄水部２側から濾過浄水部３側に吸着剤が漏れ出すことが防止され、吸着浄水部２内を吸着剤が隙間なく充填された状態に維持することが可能となるので、結果的に浄水カートリッジ１の高寿命化が図られる。
【００１０】
そして、上記構成の浄水カートリッジ１を具備した浄水器５０とすることで、下方の浄水貯留部５２内に貯留される浄水中に浄水カートリッジ１が水没を始めるまでの時間を長く確保し、良好な通水速度を保つことのできる浄水器５０を提供することが可能となる。
【発明の効果】
【００１１】
請求項１に係る発明は、下方の浄水貯留部内に貯留されていく浄水中に浄水カートリッジが水没し始めるまでの時間を長く確保して良好な通水速度を保ち、一定量の浄水を速やかに得ることが可能になるという効果を奏する。
【００１２】
また請求項２に係る発明は、請求項１に係る発明の効果に加えて、吸着浄水部内に充填される吸着剤の全てを有効利用することが可能となり、結果的に浄水カートリッジの高寿命化が図られるという効果を奏する。
【００１３】
また請求項３に係る発明は、請求項１又は２に係る発明の効果に加えて、吸着浄水部内を吸着剤が隙間なく充填された状態に維持することが可能となり、結果的に浄水カートリッジの高寿命化が図られるという効果を奏する。
【００１４】
また請求項４に係る発明は、下方の浄水貯留部内に貯留される浄水中に浄水カートリッジが水没を始めるまでの時間を長く確保し、良好な通水速度を保つことのできる浄水器を提供することが可能になるという効果を奏する。
【発明を実施するための最良の形態】
【００１５】
以下、本発明を添付図面に示す実施形態に基づいて説明する。図１〜図３には、本発明の実施形態における一例の浄水器５０を示している。
【００１６】
本例の浄水器５０はいわゆるポット型浄水器であって、水道水等の原水を供給して一旦貯留させておく原水貯留部５１と、原水貯留部５１の底部に装着される浄水カートリッジ１と、原水貯留部５１及び浄水カートリッジ１の下方に位置する浄水貯留部５２とで主体を成し、原水貯留部５１内に貯留される原水が自重により浄水カートリッジ１を通過して浄水貯留部５２内にまで流下する際に、浄水カートリッジ１内にて原水が浄化されるようになっている。
【００１７】
浄水器５０は、上端が開口した有底筒型の外容器５３と、外容器５３の上端開口から挿入されて該外容器５３内に配置される同じく上端が開口した有底筒型の内容器５４とを具備している。内容器５４は、外容器５３の半分程度又はそれ以下の深さで形成してあり、外容器５３の上半部に対して所定の隙間５５を除く部分で隙間なく嵌合することで、内容器５４内に上記の原水貯留部５１を形成するとともに、内容器５４の底壁５４ａと外容器５３の底壁５３ａとの間に上記浄水貯留部５２を形成するように設けている。上記隙間５５は浄水貯留部５２から上方に延設されるように形成され、浄水を注ぐ際の注ぎ路として機能する。
【００１８】
内容器５４の上端開口には、上蓋部５６を嵌め込み固定している。上蓋部５６の中央には給水口５７を開口させるとともに、該給水口５７をその上方から塞ぐフラップ５８を設けている。フラップ５８の後端部には軸孔５９を穿設しており、上蓋部５６において給水口５７よりも後方に設置される円柱状の軸６０を上記軸孔５９内に回動自在に嵌合させることで、フラップ５８を給水口５７に対して開閉自在としている。
【００１９】
なお、ここでの前後方向とは、注ぎ路を成す隙間５５が位置する側を前方としたものである。したがって、隙間５５の上端に形成される注ぎ口５５ａが給水口５７の前方に位置し、給水口５７を挟んで注ぎ口５５ａとは反対側に軸６０が位置している。注ぎ口５５ａには、開閉自在な注ぎ蓋６１を設けているが、設けない構造であってもよい。
【００２０】
原水貯留部５１の底面はその最下部５１ａに向けて緩やかに下り傾斜に形成しており、浄水カートリッジ１は、上記原水貯留部５１の最下部５１ａから更に下方に凹設される装着凹段部６２内に上方から嵌め込んで装着される。装着凹段部６２の底部中央は開口させており、装着凹段部６２及びこれの底部の開口を介して（つまり装着凹段部６２内に装着される浄水カートリッジ１を介して）、原水貯留部５１とこれの下方に位置する浄水貯留部５２とが連通する構造である。
【００２１】
浄水カートリッジ１は、内部に充填してある吸着剤（図示せず）の吸着作用によって原水を浄化する上流側の吸着浄水部２と、内部に充填してある濾過体（図示せず）の濾過作用によって吸着浄水部２を通過した原水を更に浄化する下流側の濾過浄水部３とを有しており、この吸着浄水部２と濾過浄水部３とで、原水貯留部５１内の原水を流下させながら順次浄化したうえで浄水貯留部５２内に吐出する浄水部４を構成している。更に、この浄水カートリッジ１内の浄水部４の上方には、内部に充填してあるミネラル剤（図示せず）のミネラル成分を浄水部４内を流れる原水の主流中に添加していくミネラル添加部５を形成している。
【００２２】
浄水カートリッジ１の下半部に形成される浄水部４は、上下端の開口した円筒状の濾過容器６内に中空糸膜等である濾過体を充填し、上端が開口した有底筒状を成すとともにその底部７ａの中央から一段低い段部８を延設した吸着容器７の該段部８内に上記濾過容器６の下端部を嵌合させ、更に、内側の濾過容器６の周壁と外側の吸着容器７の周壁との間に活性炭等である粒状の吸着剤を充填させることで形成される。上記段部８の底壁中央には、段部８に嵌合される濾過容器６の下端開口に対して上下に所定空間を介して対向する吐出口９を開口させている。段部８の周壁の下端にはリブ状の係止突部１０を内方に突出させており、この係止突部１０が濾過容器６の下端面に当たることで、段部８内に嵌合される濾過容器６の下端と吐出口９との間の上記所定空間を規定する。
【００２３】
濾過容器６の下端部の外周面の溝部にはＯリング１１を嵌め込んでおり、このＯリング１１を介して濾過容器６の下端部と段部８とを密着させている。また、段部８の周壁には水平方向を長手方向とするスリット状の空気抜き孔１２を濾過容器６の下端と同一高さとなるように複数設けており、濾過容器６の下端と吸着容器７の段部８との間に溜まった空気が側方の空気抜き孔１２を通じて浄水貯留部５２側に抜ける構造にしている。
【００２４】
また、濾過容器６の周壁から成る隔壁１３には、この隔壁１３を介して水平方向に並設される中央の濾過浄水部３とこれを囲む外周側の吸着浄水部２とを連通させる連通孔１４を、複数設けている。この連通孔１４は、水平方向を長手方向としてスリット状に形成されるもので、濾過容器６が段部８内に嵌合された状態で吸着浄水部２の下端部と同一高さになるように設けている。図示例では、吸着浄水部２の下端と同一高さに一列と、吸着浄水部２の下端から僅かに上方の高さに一列の、上下二列の連通孔１４を設けている。
【００２５】
浄水カートリッジ１の上半部に形成されるミネラル添加部５は、上端が開口した有底筒状を成すとともにその外底面中央には上方に経込んだ凹段部１５ａを設けてあるミネラル容器１５の該凹段部１５ａ内に濾過容器６の上端部を嵌合係止させ、該嵌合係止により濾過容器６上に載置されるミネラル容器１５内にカルシウム剤等である粒状のミネラル剤を充填させ、更に、このミネラル容器１５の上方から、下端が開口したキャップ状の上カバー１６を被せ、該上カバー１６の下端開口縁を吸着容器７の上端開口縁と係合させることで形成される。ここで、ミネラル容器１５の上端開口縁は上カバー１６の内周面に密着し、ミネラル容器１５と上カバー１６とで囲まれる空間がミネラル添加部５となる。浄水カートリッジ１の外殻を成すカートリッジハウジング３０は、この上カバー１６と吸着容器７とで形成される。
【００２６】
上カバー１６の周壁であってミネラル容器１５の側方に位置する部分には、小径の導水口１７を全周に亘って多数開口させており、これら導水口１７を通じて浄水カートリッジ１内に原水が導入される構造である。また、上カバー１６の頂部であって濾過容器６内の濾過浄水部３の真上に位置する部分には、濾過部側排気口１８を上下方向に貫通形成している。ミネラル容器１５の上方に経込んだ凹段部１５ａの底面中央部からは、ミネラル容器１５のミネラル剤を収容する部分を抜けて上方に伸びる細長パイプ状の空気抜き路１９が延設されている。空気抜き路１９の上端開口は、上カバー１６の濾過部側排気口１８に連通接続させる。つまり、ミネラル容器１５の凹段部１５ａに接続される濾過容器６内の濾過浄水部３は、この空気抜き路１９及び濾過部側排気口１８を通じて上方の原水貯留部５１に連通接続される構造である。
【００２７】
また、ミネラル容器１５の外周壁には、スリット状のミネラル溶出孔２０を多数穿設している。このミネラル溶出孔２０は、ミネラル容器１５内の空間であるミネラル添加部５と吸着容器７内の空間である吸着浄水部２とを連通接続させる流路を成すものである。更に、ミネラル容器１５の周壁の上端縁には、下方に凹設した切り欠き２１が周方向に間隔を空けて複数設けてあり、ミネラル容器１５の上端開口縁が上カバー１６の内面に密着したときに、各切り欠き２１が、下方のミネラル溶出孔２０とは別にミネラル添加部５と吸着浄水部２を連通させる空気導入孔２２を成すようにしている。ミネラル溶出孔２０や空気導入孔２２の幅は、充填されるミネラル剤の径よりも小さく設けている。
【００２８】
ここで、上カバー１６の頂部であって濾過部側排気口１８を囲む部分には、周方向に等間隔を隔てて複数の排気口２３を濾過部側排気口１８とは別に上下方向に穿設している。この排気口２３は、ミネラル添加部５内に生じる気泡をカートリッジ外に排出させるものであり、且つ、吸着浄水部２内に生じる気泡をカートリッジ外に排出させる吸着部側排気口２４を兼用したものである。上カバー１６の頂部であって各排気口２３を囲む部分からは、排気口２３の周方向に等間隔を隔てて複数の突起部２５を内方に（即ち下方に）延設しており、ミネラル添加部５内に充填されるミネラル剤が各排気口２３に詰まることを防止している。
【００２９】
ところで、上記構成の浄水カートリッジ１を浄水器５０に装着する際、浄水カードリッジ１の浄水部４が形成される下半部を、原水貯留部５１から下方に凹設される上記装着凹段部６２内に嵌め込み、浄水カートリッジ１のミネラル添加部５を形成する上半部を原水貯留部５１の最下部５１ａよりも上方に位置させるのであるが、このとき装着凹段部６２の底部中央の開口を通じて、吸着容器７の段部８の吐出口９や該段部８内に位置する濾過容器６の下端部が下方の浄水貯留部５２側に突出する。
【００３０】
吸着容器７の周壁には、外側方に向けて凸状に形成される弾性変形可能な凸部２６が全周に亘って一体に形成されており、この凸部２６を全周に亘って装着凹段部６２の内周面に弾接させることで、吸着容器７の周壁と装着凹段部６２とを密着させている。また、吸着容器７の段部８の外周面の溝部にはＯリング２７を嵌め込んでおり、このＯリング２７を介して段部８と装着凹段部６２とを密着させている。
【００３１】
そして、上記構成から成る浄水カートリッジ１を備えた本例の浄水器５０を用いて浄水を得ようとする場合は、以下の手順による。即ち、まず上蓋部５６のフラップ５８を上方に回動させて給水口５７を開き、給水口５７を通じて水道水等の原水を原水貯留部５１内に供給する。供給された原水は原水貯留部５１内に一旦貯留されるとともに、上カバー１６の多数の導水口１７を通じて浄水カートリッジ１内に導入され、吸着浄水部２およびこれに連通する濾過浄水部３やミネラル添加部５内にまで原水が充填される。
【００３２】
ここで、原水が自重により浄水カートリッジ１内を通って浄水貯留部５２にまで流下していく主流路は、導水口１７から流下した後に吸着浄水部２内に一旦溜まって吸着剤の吸着作用により浄化された後に、吸着浄水部２の下端部と連通する連通孔１４を通って濾過浄水部３内に導入され、濾過浄水部３内に充填される濾過体の濾過作用により更に濁り成分を濾過して浄化された後に、浄水カートリッジ１の最下端に開口される吐出口９を通じて下方の浄水貯留部５２内に順次流下していく流路である。この主流路を通過する過程で、吸着作用及び濾過作用による浄水が行われる。
【００３３】
そして、この主流路に対してミネラル添加部５からは、該ミネラル添加部５内に充填された原水にミネラル剤のミネラル成分が溶出して得られた高ミネラル水が、ミネラル溶出孔２０を通じて順次供給されていく。つまり、浄水カートリッジ１内を通過する原水には、吸着作用及び濾過作用による浄水が行われるとともに、ミネラル成分が添加されるものである。
【００３４】
ところで、浄水カートリッジ１内全体に原水が充填されて浄水が行われる際に、吸着浄水部２内や濾過浄水部３内に気泡が滞留していると通水性能が低下するとともに浄水の水質も不安定化する。しかし、上記構成の浄水カートリッジ１によれば、吸着浄水部２内に生じる気泡はミネラル溶出孔２０や空気導入孔２２を通じて上方のミネラル添加部５内にまで浮上したうえで、ミネラル添加部５内に生じる気泡と共に排気口２３から原水貯留部５１側に排出される。また、濾過浄水部３内に生じる気泡は濾過容器６内の上方にまで浮上したうえで、該濾過容器６と連通接続される空気抜き路１９を通じて濾過部側排気口１８に運ばれ、原水貯留部５１側に排出される。
【００３５】
なお、原水貯留部５１内において浄水カートリッジ１の濾過部側排気口１８よりも上方にまで原水が貯留されている場合であっても、この空気抜き路１９の上端部には空気溜りが常時生じて原水の流入を阻止する。したがって、空気抜き路１９を通じて原水貯留部５１内の原水が直接濾過浄水部３内に流入することは防止される。
【００３６】
上記のように、本例の浄水カートリッジ１を備えた浄水器５０にあっては、浄水カートリッジ１内の水平方向中央部に位置する濾過浄水部３の上部から細長パイプ状の空気抜き路１９を上方に向けて延設し、濾過浄水部３内に生じる気泡を、該濾過浄水部３を水平方向に囲んで位置する吸着浄水部２を避けたうえで頂部の濾過部側排気口１８からカートリッジ外に排出する構造になっているので、濾過浄水部３内に生じた気泡の一部が吸着浄水部２内の吸着剤に付着して残留することがない。このため、気泡が残留することによる通水性能の低下や、浄水の水質の不安定化が防止されるものである。
【００３７】
加えて、本例の浄水カートリッジ１では、浄水カートリッジ１の外殻を成すカートリッジハウジング３０の頂部（つまり上カバー１６の頂部）に、吸着浄水部２内の気泡を排出させる吸着部側排気口２４と、濾過浄水部３内の気泡を排出させる濾過部側排気口１８とを別々に設け、この濾過部側排気口１８内に上記空気抜き路１９の上端部を嵌合させて連通接続させている。したがって、原水が充填された状態の浄水カートリッジ１内において、吸着浄水部２内の吸着剤やミネラル添加部５内のミネラル剤が上方に浮上してきても、これらが空気抜き路１９や濾過部側排気口１８に詰まって空気抜き性能を低下させることは防止される。
【００３８】
以下、本例の浄水カートリッジ１を具備する浄水器５０の特徴部分について、更に詳述していく。上記したように、本例の浄水カートリッジ１にあっては、濾過容器６の周壁から成る筒状の隔壁１３を介して吸着浄水部２と濾過浄水部３とを水平方向に並設するとともに、上記隔壁１３に、並設される吸着浄水部２と濾過浄水部３を水平方向に連通させる連通孔１４を設けた構造になっているので、浄水貯留部５２側に突出する浄水カートリッジ１の下半部内に形成される浄水部４を、上下方向にコンパクトに設けることが可能となっている。
【００３９】
したがって、この浄水カートリッジ１の浄水部４を有する下半部と、浄水貯留部５２の底部との間の距離を長く保つことが容易であり、浄水貯留部５２内に貯留されていく浄水中に浄水カートリッジ１が水没し始めるまでの時間を長く確保することができる。これにより良好な通水速度を保ち、一定量の浄水を速やかに得ることが可能になっている。
【００４０】
また、本例では濾過浄水部３を形成する濾過容器６の下端部を、吸着浄水部２を形成する吸着容器７の一段低い段部８内に嵌入させた構造とすることで、濾過浄水部３が吸着浄水部２の下端部よりも下方にまで延設された形状にしている。そして、吸着浄水部２と濾過浄水部３を水平方向に連通させる連通孔１４を上記吸着浄水部２の下端部の高さに設けたことで、上方から吸着浄水部２内に導入された原水が、吸着浄水部２内に充填される吸着剤の全体を満遍なく通過して吸着作用による浄化をなされた後に、下端部の連通孔１４を通じて濾過浄水部３内に導入されるようになっている。連通孔１４から濾過浄水部３内に流入した原水は、中空糸膜である濾過体を束ねて隙間なく充填させた状態にある濾過浄水部３内の全体を満遍なく通過した後に吐出口９から吐出される。
【００４１】
したがって、濾過浄水部３の側方に吸着浄水部２を配した構造であるにも関わらず、濾過浄水部３内に充填される吸着剤の全てを有効利用して浄化処理を行ったうえで吸着浄水部２に流入させることが可能となり、結果的に浄水カートリッジ１の高寿命化が図られる。
【００４２】
また、各連通孔１４の幅は、吸着浄水部２内に充填する吸着剤の径よりも小さく設けているので、吸着浄水部２側から濾過浄水部３側に吸着剤が漏れ出すことは防止されている。これにより、吸着浄水部２内において吸着剤が隙間なく充填された状態を維持することができ、結果的に浄水カートリッジ１の高寿命化が図られる。
【００４３】
図４には、本発明の実施形態における他例の浄水カートリッジ１を備えた浄水器５０を示している。本例の基本的な構成は上記した一例の構成と同様であるから、一例の構成と一致する構成については詳しい説明を省略し、一例とは相違する特徴的な構成についてのみ以下に詳述する。
【００４４】
本例では、吸着浄水部２と濾過浄水部３を水平方向に連通させる上記連通孔１４内に、微細な孔が上下左右に多数穿設されたメッシュ体４５を配している。メッシュ体４５の各孔が吸着剤の径よりも十分に小さなものであることは勿論であり、該メッシュ体４５を配することで、吸着浄水部２側から濾過浄水部３側に吸着剤が漏れ出すことは更に確実に防止されている。これにより、浄水カートリッジ１の更なる高寿命化が図られる。
【００４５】
また、本例では上カバー１６の濾過部側排気口１８と連通する上側パイプ４１を下方に延設し、ミネラル容器１５の凹段部１５ａ中央と連通する下側パイプ４２を上方に延設し、上側パイプ４１と下側パイプ４２を連通接続させることで、空気抜き路１９を形成している。
【図面の簡単な説明】
【００４６】
【図１】本発明の実施形態における一例の浄水カートリッジを備えた浄水器の側断面図である。
【図２】図１の要部拡大図である。
【図３】同上の浄水器の分解斜視図である。
【図４】本発明の実施形態における他例の浄水カートリッジを備えた浄水器の側断面図である。
【図５】従来の浄水カートリッジを備えた浄水器を示す側断面図である。
【符号の説明】
【００４７】
１  浄水カートリッジ
２  吸着浄水部
３  濾過浄水部
１３  隔壁
１４  連通孔
５０  浄水器
５１  原水貯留部
５２  浄水貯留部
【図１】
2009125663.tif 000003
【図２】
2009125663.tif 000004
【図３】
2009125663.tif 000005
【図４】
2009125663.tif 000006
【図５】
2009125663.tif 000007